(57)【要約】【課題】載置台上に載置された載置物に対する装着や取り外し作業に手間が掛からず一人で行え、装着作業中に積み上げられた載置物の積載状態を乱して崩してしまったり、該載置物を破損させたりしてしまうことの無い荷崩れ防止具とこれを用いた載置物の荷崩れ防止方法を提供する。【解決手段】載置台に載置された載置物の周囲を帯状体で巻回することによって該載置物の荷崩れを防止してなる荷崩れ防止具であるが、前記帯状体は、少なくとも２５ｃｍ幅以下の長手形状のベルト体であって、両先端部に載置台に固定する固定具を設けると共に、載置物の端部に接触しながらＬ字状に載置物を押さえるＬ字板を前記ベルト体で左右に移動可能に一体化して成ることを特徴とする荷崩れ防止具を用いる。【選択図】  図１
2005041567.tif 000002
【特許請求の範囲】
【請求項１】
載置台に載置された載置物の周囲を帯状体で巻回することによって該載置物の荷崩れを防止してなる荷崩れ防止具において、
前記帯状体は、少なくとも１５ｃｍ幅以下の長手形状のベルト体であって、両先端部に載置台に固定する固定具を設けると共に、載置物の端部に接触しながらＬ字状に載置物を押さえるＬ字板を前記ベルト体で左右に移動可能に一体化して成ることを特徴とする荷崩れ防止具。
【請求項２】
前記ベルト体の幅は、前記Ｌ字板に設けた２ヶ所以上のベルト通し穴を通過する幅である少なくとも１５ｃｍ以下、好ましくは１０ｃｍ以下であることを特徴とする請求項１記載の荷崩れ防止具。
【請求項３】
前記ベルト体は、前記固定具とＬ字体の中間に長さ調整可能な締付け具を設けていることを特徴とする請求項１〜請求項２記載の荷崩れ防止具。
【請求項４】
前記ベルト体は、両先端部に載置台に取付可能なフック体を設けてあることを特徴とする請求項１〜請求項３記載の荷崩れ防止具。
【請求項５】
前記ベルト体は、任意の箇所に通し番号、色別色彩、バーコード等の識別標識を設けていることを特徴とする請求項１〜請求項４記載の荷崩れ防止具。
【請求項６】
載置台に載置された載置物の周囲を帯状体で巻回することによって該載置物の荷崩れを防止してなる荷崩れ防止具において、
前記帯状体は、少なくとも１５ｃｍ幅以下の長手形状のベルト体であって、両先端部に載置台に固定する固定具と、中心部で左右のベルト体を固定できる雄・雌フック体で載置物を締付けることを設けると共に、載置物の端部に接触しながらＬ字状に載置物を押さえるＬ字板を前記ベルト体で左右に移動可能に一体化して成ることを特徴とする荷崩れ防止具。
【請求項７】
載置台に載置された載置物の周囲を帯状体で巻回することによって該載置物の荷崩れを防止してなる荷崩れ防止具において、
前記帯状体は、少なくとも１５ｃｍ幅以下の長手形状のベルト体であって、両先端部で長さ調整の可能な締付け具からなる締め付け具を設けると共に、載置物の端部に接触しながらＬ字状に載置物を押さえるＬ字板を前記ベルト体で左右に移動可能に一体化して成ることを特徴とする簡易型荷崩れ防止具。
【請求項８】
前記Ｌ字板は、アルミ板、ステンレス板、金属板、又は樹脂体から製造されてなることを特徴とする請求項４記載の簡易型荷崩れ防止具。
【請求項９】
帯状体における長手方向両側端部に載置台に取付可能な固定手段を有する荷崩れ防止具を用い、先ず一方の固定手段であるフック体を載置台の任意の箇所に引っかけるように取付、そのまま載置物を結束するようにその周囲を巻回し、次いでベルト体を通しているＬ字体が載置物の角に位置するように順次微調整し、更に他端部のフック体を載置台に取付た後に、締付け具にて長さを微調整することによって載置物を載置台に固定することを特徴とする載置物の荷崩れ防止方法。
【請求項１０】
帯状体における長手方向両側端部に載置台に取付可能な固定手段並びに中心部に締付け具を有する荷崩れ防止具を用い、先ず両端の固定手段であるフック体を載置台の任意の箇所に引っかけるように取付け、そのまま載置物を結束するようにその周囲を巻回し、次いでベルト体を通しているＬ字体が載置物の角に位置するように順次微調整した後に、締付け具にて長さを微調整することによって載置物を載置台に固定することを特徴とする載置物の荷崩れ防止方法。
【請求項１１】
帯状体における長手方向両側端部に載置台に取付可能な固定手段を有する荷崩れ防止具を用い、先ず一方の固定手段であるフック体を載置台の任意の箇所に引っかけるように取付け、そのまま載置物を結束するようにその周囲を巻回し、次いでベルト体を通しているＬ字体が載置物の角部に位置するように順次微調整し、更に他端部のフック体を載置台に取付た後に、締付け具にて長さを微調整することによって載置物を載置台に固定する第１工程と、
帯状体における長手方向両側端部に締付け手段を有する簡易荷崩れ防止具を用い、第１手段で固定したベルト体とは垂直状態になるように載置物の横方向に巻回して一定幅で固定し、次いで該簡易荷崩れ防止具のベルト体を通過させているＬ字体を各角部に併せながら順次微調整して、両端部に取り付けてある締付け具で長さを調整して載置物の角部を押さえる第２工程とからなることを特徴とする
載置物の荷崩れ防止方法。
【請求項１２】
Ｌ字板であって、本体に設けた２ヶ所以上のベルト通し穴を通過する幅である少なくとも１５ｃｍ以下、好ましくは１０ｃｍ以下であることを特徴とする荷崩れ防止具用のＬ字板。
【発明の詳細な説明】
【技術分野】
【０００１】  本発明は、パレットや台車等の載置台上に載積された載置物の荷崩れを防止する荷崩れ防止具、荷崩れ防止具用Ｌ字体及びこれを用いた載置物の荷崩れ防止方法に関し、さらに詳しくはベルト体が通過可能な直角状のＬ字体を載置物の角部に当てて締付けることにより、角部に一定な加圧がかかって荷崩れがしにくい荷崩れ防止具とその荷崩れ防止方法の改良を提案するものである。
【背景技術】
【０００２】  パレットや台車等の載置台上に積載された載置物の荷崩れを防止してなる手段として、従来、合成樹脂製の薄圧ストレッチフィルム材を該載置物の周囲に幾重にもグルグル巻回することにより行われている。しかしながら、上記手段では、該薄圧フィルム材の装着や取り外しの際に、載置物の周りを何度も廻らなければならないことから手間が掛かり煩わしく、且つ、時間を要し、さらに、取り外した該薄圧フィルム材は再度利用するものでないことから廃棄処分され、無駄なゴミを発生させてしまうものであった。【０００３】  そこで、このような該薄圧フィルム材における課題を解決するものとして、載置台等の上に載置された載置物の周囲を巻回するのに充分な長さを有するベルト等の帯状体の各端部に、面ファスナー等の固定手段を取り付けることにより端部相互を連結固定することを基本的な構成とする防止具が特開平７−１４９３６４号、特開平７−３５３３０号、特開平１１−１１４８１号等に提案されている。【０００４】  このような荷崩れ防止具は、載置物の周りを一度だけ廻ることで容易に装着や取り外しが行え、その作業に手間が掛からず短時間で成し得ることができるとともに、繰り返し利用することが出来るものであることからゴミにならず、非常に作業性に優れた効率的、且つ、経済的なものであった。【０００５】  しかしながら、上記の荷崩れ防止具は、装着する際に帯状体の巻回開始側側端部を載置物の間に挟み込んだり、引っかけたり、又は載置物自体に貼着したりすることにより、該巻回開始側端部を固定して該載置物の周囲を巻回するという装着（巻回）作業を一人で行うことを可能とするものであることから、該装着作業中に積み上げられた載置物の載積状態を乱して崩してしまったり、該載置物（容器等）を破損させたりしてしまう恐れを有するものであった。【０００６】  また、上記荷崩れ防止具は、何段にも積み上げられた載置物の荷崩れを防止するためには、積み上げられた載置物の高さに等しい幅の帯状体を必要とするか、積み上げられた荷物の境目（段）ごとに短縮の帯状体をそれぞれ巻付けなければならないもで、すなわち、荷崩れ防止具で巻回されていない箇所（境目）から載積状態が乱れて荷崩れを生じてしまう恐れがあった。【０００７】  上記のような問題点を解決するために、本出願人は先に特開２００２−２７８１号「荷崩れ防止具とこれを用いた載置物の荷崩れ防止方法」で、パレットや台車等の載置台上に積載された載置物に対する装着や取り外し作業に手間が掛からず一人で短時間で行え、且つ、繰り返し利用が可能であることは勿論のこと、装着作業中に積み上げられた載置物の載積状態を乱して崩してしまったり、該載置物を破損させたりしてしまうことが無く、さらに、何段も積み上げられた載置物でも効率良く載積状態を維持（すなわち、荷崩れを防止）することが出来るようにした荷崩れ防止具とこれを用いた載置物の荷崩れ防止方法とを提案した。
【特許文献１】特開平７−１４９３６４号
【特許文献１】特開平７−３５３３０号
【特許文献１】特開平１１−１１４８１号
【特許文献１】特開２００２−２７８１号
【発明の開示】
【発明が解決しようとする課題】
【０００８】  上記の特開２００２−２７８１号「荷崩れ防止具とこれを用いた載置物の荷崩れ防止方法」で開示する荷崩れ防止具を用いることによって、作業員が一人でも容易に装着作業が出来、平常時においては相当程度の荷崩れ防止が可能となったが、例えば上記防止具を装着した儘で地震による横ぶれ等の異常な荷重がかかると角部の圧力に対しては弱いという課題がその後の研究によって判明した。【０００９】  したがって、上記のように作業員が一人でも容易に装着作業が出来、相当程度の荷崩れ防止が可能な防止具であり、さらに載積物を載積した状態でも付加に対抗し得る新規な荷崩れ防止具の開発がもとめられていた。
【課題を解決するための手段】
【００１０】  本発明者は係る課題を解決するために鋭意研究したところ、帯状体が通過する幅以上のＬ字体を載置物の角部に位置するように設置すると、Ｌ字体が帯状体に係る横揺れ等の付加を吸収することを見いだし、本発明の荷崩れ防止具とそれを用いた載置物の荷崩れ防止方法とを提案することができた。【００１１】  すなわち本発明の第一は、載置台に載置された載置物の周囲を帯状体で巻回することによって該載置物の荷崩れを防止してなる荷崩れ防止具において、
前記帯状体は、少なくとも２５ｃｍ幅以下の長手形状のベルト体であって、両先端部に載置台に固定する固定具を設けると共に、載置物の端部に接触しながらＬ字状に載置物を押さえるＬ字板を前記ベルト体で左右に移動可能に一体化して成ることを特徴とする荷崩れ防止具である。【００１２】  本発明の第二は、前記ベルト体の幅は、前記Ｌ字板に設けた２ヶ所以上のベルト通し穴を通過する幅である少なくとも２５０ｃｍ以下、好ましくは２０ｃｍ以下であることを特徴とする請求項１記載の荷崩れ防止具である。【００１３】  本発明の第三は、前記ベルト体は、前記固定具とＬ字体の中間に長さ調整可能な締付け具を設けていることを特徴とする請求項１〜請求項２記載の荷崩れ防止具である。【００１４】  本発明の第四は、前記ベルト体は、両先端部に載置台に取付可能なフック体を設けてあることを特徴とする請求項１〜請求項３記載の荷崩れ防止具である。【００１５】  本発明の第五は、前記ベルト体は、任意の箇所に通し番号、色別色彩、バーコード等の識別標識を設けていることを特徴とする請求項１〜請求項４記載の荷崩れ防止具である。【００１６】  本発明の第六は、載置台に載置された載置物の周囲を帯状体で巻回することによって該載置物の荷崩れを防止してなる荷崩れ防止具において、
前記帯状体は、少なくとも１５ｃｍ幅以下の長手形状のベルト体であって、両先端部に載置台に固定する固定具と、中心部で左右のベルト体を固定できる雄・雌フック体で載置物を締付けることを設けると共に、載置物の端部に接触しながらＬ字状に載置物を押さえるＬ字板を前記ベルト体で左右に移動可能に一体化して成ることを特徴とする荷崩れ防止具である。【００１７】  本発明の第七は、載置台に載置された載置物の周囲を帯状体で巻回することによって該載置物の荷崩れを防止してなる荷崩れ防止具において、
前記帯状体は、少なくとも２０ｃｍ幅以下の長手形状のベルト体であって、両先端部で長さ調整の可能な締付け具からなる締め付け具を設けると共に、載置物の端部に接触しながらＬ字状に載置物を押さえるＬ字板を前記ベルト体で左右に移動可能に一体化して成ることを特徴とする簡易型荷崩れ防止具である。【００１８】  本発明の第八は、前記Ｌ字板は、アルミ板、ステンレス板、金属板、又は樹脂体から製造されてなることを特徴とする請求項４記載の簡易型荷崩れ防止具である。【００１９】  本発明の第九は、帯状体における長手方向両側端部に載置台に取付可能な固定手段を有する荷崩れ防止具を用い、先ず一方の固定手段であるフック体を載置台の任意の箇所に引っかけるように取付、そのまま載置物を結束するようにその周囲を巻回し、次いでベルト体を通しているＬ字体が載置物の角に位置するように順次微調整し、更に他端部のフック体を載置台に取付た後に、締付け具にて長さを微調整することによって載置物を載置台に固定することを特徴とする載置物の荷崩れ防止方法である。【００２０】  本発明の第十は、帯状体における長手方向両側端部に載置台に取付可能な固定手段並びに中心部に締付け具を有する荷崩れ防止具を用い、先ず両端の固定手段であるフック体を載置台の任意の箇所に引っかけるように取付け、そのまま載置物を結束するようにその周囲を巻回し、次いでベルト体を通しているＬ字体が載置物の角に位置するように順次微調整した後に、締付け具にて長さを微調整することによって載置物を載置台に固定することを特徴とする載置物の荷崩れ防止方法である。【００２１】  本発明の十一は、帯状体における長手方向両側端部に載置台に取付可能な固定手段を有する荷崩れ防止具を用い、先ず一方の固定手段であるフック体を載置台の任意の箇所に引っかけるように取付け、そのまま載置物を結束するようにその周囲を巻回し、次いでベルト体を通しているＬ字体が載置物の角部に位置するように順次微調整し、更に他端部のフック体を載置台に取付た後に、締付け具にて長さを微調整することによって載置物を載置台に固定する第１工程と、
帯状体における長手方向両側端部に締付け手段を有する簡易荷崩れ防止具を用い、第１手段で固定したベルト体とは垂直状態になるように載置物の横方向に巻回して一定幅で固定し、次いで該簡易荷崩れ防止具のベルト体を通過させているＬ字体を各角部に併せながら順次微調整して、両端部に取り付けてある締付け具で長さを調整して載置物の角部を押さえる第２工程とからなることを特徴とする
載置物の荷崩れ防止方法である。【００２２】  本発明の第十二は、Ｌ字板であって、本体に設けた２ヶ所以上のベルト通し穴を通過する幅である少なくとも１５ｃｍ以下、好ましくは１０ｃｍ以下であることを特徴とする荷崩れ防止具用のＬ字板である。
【発明の効果】
【００２３】  本願発明は、パレットや台車等の載置台上に積載された載置物に対する装着や取り外し作業に手間が掛からず一人で短時間で行え、且つ、繰り返し利用が可能であることは勿論のこと、荷崩れ防止具の巻回開始時の固定において載置物を一切利用することがないので、装着作業中に積み上げられた載置物の積載状態を乱して崩してしまったり、載置物を破損させてしまったりする恐れの無いものとすることが出来る。【００２４】  また、本願発明に係る荷崩れ防止具を複数組み合わせることにより、何段にも積み上げられた高さを有する載置物でも効率よく積載状態を維持することが出来るものである。【００２５】  さらに、本願発明の荷崩れ防止具ではＬ字体を用いているために、特に地震等の横揺れに対しても角部を押さえているために強度が強いという従来の荷崩れ防止具に無い効果を有するものである。
【発明を実施するための最良の形態】
【００２６】  図１および図２は、本発明の荷崩れ防止具を示す平面図である。図１の荷崩れ防止具は、２個のＬ字体４、４をスライダーとして使用するために、本体の中央端部にベルト体２が通過可能な開口部を２ヶ所以上設け、その開口部の中を帯状体であるベルト体２が内側から挿入されて一端外側に出て、更に次の開口部では外側から内側に挿入されて、該Ｌ字体をベルト体２に装着している。【００２７】  前記ベルト体２の両先端部には、載置台の任意の箇所に取り付けるための固定具であるＵ字型のフック体１、１が設けられており、このフック体１を載置台の隙間に引っかけるようになっている。
【実施例１】
【００２８】  図１に示す荷崩れ防止具は、ベルト体１が幅５０ｍｍ、長さ５０００ｍｍの細長形状の帯状体で有り、中間部に図４に示すような２個の横幅２００ｍｍ、縦幅１００ｍｍの直角からなるＬ字体３の開口部を、内側から一旦外側に抜け、また次の開口部から内側に挿入されて、前記ベルト体を装着している。【００２９】  尚、荷姿によってベルト幅、長さ、中間部の横幅２００ｍｍ、縦幅１００ｍｍサイズは自由に変えることができるようにしている。【００３０】  この荷崩れ防止具は、先ず一方の固定手段であるフック体を載置台の任意の箇所に引っかけるように取付けた後に、そのまま載置物を結束するようにその周囲を巻回する。次いでベルト体を通しているＬ字体が載置物の角に位置するように順次微調整し、更に他端部のフック体を載置台に取付た後に、締付け具にて長さを微調整することによって載置物を載置台に固定するものである。
【実施例２】
【００３１】  図２に示す荷崩れ防止具は、ベルト体１が幅５０ｍｍ、全長４４００ｍｍの細長形状の帯状体で有り、中間部に２個の横幅２５０ｍｍ、縦幅１００ｍｍの直角からなるＬ字体３の開口部を、内側から一旦外側に抜け、また次の開口部から内側に挿入されて、前記ベルト体を装着するものであるが、ベルト体１が２分割され中心部で長さ８０ｍｍの雄・雌フック５で一体化される。【００３２】  この荷崩れ防止具は、先ず一方の固定手段であるフック体を載置台の任意の箇所に引っかけ、次いで他端のフック体を同様に載置台の任意の箇所に取付けた後に、そのまま載置物を結束するようにその周囲を巻回する。次いでベルト体を通しているＬ字体が載置物の角に位置するように順次微調整した後に、中央部の雄・雌フック体を嵌合して載置物を載置台に固定するものである。
【実施例３】
【００３３】  図５は、更に別な形態の荷崩れ防止具を示しているが、この防止具は、ベルト体が幅５０ｍｍ、全長４４００ｍｍの細長形状の帯状体で有り、中間部に４個の横幅２５０ｍｍ、縦幅１００ｍｍの直角からなるＬ字体の開口部を、内側から一旦外側に抜け、また次の開口部から内側に挿入されて、前記ベルト体を装着するものであるが、ベルト体１の先端部に取り付けたバックルで締付けられるようになっている。【００３４】  この荷崩れ防止具は、先ず端部を載置台の任意の箇所に挟み込み、順次Ｌ字体を載置台の角部に当てながら４隅に位置させ、次いで両端部を併せて締付けるようにして載置物同士を固定するものである。【００３５】  上記実施例で使用するＬ字体の素材としては、アルミ板、ステンレス板、金属板の他に樹脂体等から製造されるが、このＬ字体は上記のようにベルト体を予め通過させたものや、或いは単独で製品化されたものを市販のベルト体を用いても使用できるようになっており、さらにＬ字体のサイズも大、中、小のものが使用可能である。【００３６】  なお上記の荷崩れ防止具の任意の箇所に、識別標識として、通し番号、色別色彩、バーコード、ＩＣタグ、ＩＣチップ、ＩＣラベル、ＲＦＩＤタグ、ＲＦＩＤチップ、ＲＦＩＤラベル等を取り付けて目視、或いは検知器具により該当物をチェックできるようにしている。
【図面の簡単な説明】
【００３７】
【図１】本発明の荷崩れ防止具を示す平面図である。
【図２】本発明の第２形態の荷崩れ防止具を示す平面図である。
【図３】本発明の第３形態の荷崩れ防止具を示す平面図である。
【図４】本発明で使用するＬ字体の拡大斜視図である。
【図５】本発明の荷崩れ防止具の使用方法を説明する斜視図である。
【図６】本発明の別な荷崩れ防止具の使用方法を説明する斜視図である。
【符号の説明】
【００３８】１・・・フック体
２・・・ベルト体
３・・・締付け具
４・・・Ｌ字体
５・・・開口部
６・・・載置台
７・・・載置物
８・・・樹脂製Ｌ字体
９・・・樹脂製ベルト体
１０・・締付け具
【図１】
2005041567.tif 000003
【図２】
2005041567.tif 000004
【図３】
2005041567.tif 000005
【図４】
2005041567.tif 000006
【図５】
2005041567.tif 000007
【図６】
2005041567.tif 000008